(57)【要約】【課題】輻射暖房のための輻射熱量を増加できる暖房装置を提供する。【解決手段】  バーナ部１と、該バーナ部１の上方に配置した集熱部７と、該集熱部７から垂下して設けられた赤熱筒９と、該赤熱筒９を内設し前記バーナ部１と前記集熱部７との間を密閉空間として連通する燃焼筒６と、温風ファンと、該温風ファンと前記集熱部７と連通した熱交換器１１と、装置前面に設けた輻射部とを備え、前記燃焼筒６を中空四角柱状に形成すると共に、前記輻射部を前記燃焼筒６の前面を露出させることで形成したので、加熱源である燃焼筒６を輻射源としたことで輻射面の温度を従来より高くすることができ、更に高温となった燃焼筒６前面を前板１９から露出させることで従来よりも高温の輻射面の面積を大きくして、器具前面への輻射熱を増加させることができる。【選択図】図３
2020041775.tif 000002
【特許請求の範囲】
【請求項１】
バーナ部と、該バーナ部の上方に配置した集熱部と、該集熱部から垂下して設けられた赤熱筒と、該赤熱筒を内設し前記バーナ部と前記集熱部との間を密閉空間として連通する燃焼筒と、温風ファンと、該温風ファンと前記集熱部と連通した熱交換器と、装置前面に設けた輻射部とを備えた暖房装置に於いて、前記燃焼筒を中空四角柱状に形成すると共に、前記輻射部を前記燃焼筒の前面を露出させることで形成したことを特徴とする暖房装置。
【請求項２】
前記燃焼筒の前面下部に拡散ガラス取付孔を設けて耐熱ガラスを取り付け、前記赤熱筒の下端の位置を耐熱ガラス上端の高さ以上に設けると共に、前記バーナ部の上端の位置を耐熱ガラス下端の高さ以下に設けたことを特徴とする請求項１記載の暖房装置。
【発明の詳細な説明】
【技術分野】
【０００１】
本発明は、この発明は、輻射暖房と温風暖房の両方で良好な暖房効果を得ることが出来る暖房装置に関するものである。
【背景技術】
【０００２】
従来この種のものでは、バーナ部１０１での燃焼で発生した燃焼ガスを、輻射室１０２に位置しバーナ部１０１と熱交換器１０３を結ぶ密閉構造の燃焼筒１０４を通し、内方に備えられた赤熱筒１０５を加熱して赤熱状態としながら、上方の熱交換器１０３内に流通させ、ここに上方の温風ファン１０６からの室内空気を送風し、熱交換によって温風として横長吹出部１０７から放出し室内を温風で暖房するものであり、又、赤熱筒１０５の赤熱状態を透明の燃焼筒１０４を介して、該燃焼筒１０４の周囲を囲った反射板１０８で反射し、前面の縦ビード１０９を有した大面積の耐熱ガラス１１０から放射して、輻射暖房も行うものであった。
【０００３】
前記燃焼筒１０４は、バーナ部１０１と集熱部１１１との間を密閉空間として連通する耐熱性の透明ガラス円筒からなり、内方には燃焼ガスで加熱され赤熱状態と成る赤熱筒１０５が集熱部１１１から垂下し、バーナ部１０１の燃焼室１１２を構成するものであり、赤熱筒１０５の赤熱状態を前板１１３中央で該赤熱筒１０５と対向する位置に備えた耐熱ガラス１１０を介して、前面に放射して輻射暖房を行わせるものであった。（例えば、特許文献１参照）
【先行技術文献】
【特許文献】
【０００４】
【特許文献１】特開２００１−３０４６９４号公報
【発明の概要】
【発明が解決しようとする課題】
【０００５】
ところでこの従来のものは、燃焼筒の周囲を囲った反射板で赤熱筒の輻射熱を反射して、器具前面の耐熱ガラスから広角に輻射熱を放射していたが、器具前面への輻射熱を増加させるには、輻射面の温度を上げるか、輻射面の面積を大きくする必要がある。
【０００６】
しかし、この従来のものは、輻射熱を放射する輻射源である器具前面の前板と耐熱ガラスの面積を大きくするために器具自体を大きくすることはできず、又、主たる輻射面となる耐熱ガラスも面積の大きいものを既に使用しているので、更に面積の大きい耐熱ガラスを使用できず、したがって、輻射面の面積を大きくすることはできなかった。
【０００７】
又、輻射熱を放射する輻射源である器具前面の前板と耐熱ガラスを、加熱源である赤熱状態の赤熱筒を内蔵した燃焼筒で加熱することで器具前面に輻射熱を放射しているが、輻射熱の輻射源と加熱源とが別々のため、輻射源を効率よく加熱することができず、輻射源である器具前面の前板と耐熱ガラスの温度を更に高くすることは難しかった。
【０００８】
又、この従来のものは、赤熱筒と対向する位置に耐熱ガラスを配置していたため、耐熱ガラス全面が赤色状態となって視覚的に暖房感を向上させていたが、全面が赤色状態となるため、燃焼筒の下部に配置されたバーナ部の燃焼状態を確認することができなかった。
【課題を解決するための手段】
【０００９】
本発明は上記課題を解決するために、請求項１では、バーナ部と、該バーナ部の上方に配置した集熱部と、該集熱部から垂下して設けられた赤熱筒と、該赤熱筒を内設し前記バーナ部と前記集熱部との間を密閉空間として連通する燃焼筒と、温風ファンと、該温風ファンと前記集熱部と連通した熱交換器と、装置前面に設けた輻射部とを備えた暖房装置に於いて、前記燃焼筒を中空四角柱状に形成すると共に、前記輻射部を前記燃焼筒の前面を露出させることで形成したものである。
【００１０】
また、請求項２では、前記請求項１に於いて、前記燃焼筒の前面下部に拡散ガラス取付孔を設けて耐熱ガラスを取り付け、前記赤熱筒の下端の位置を耐熱ガラス上端の高さ以上に設けると共に、前記バーナ部の上端の位置を耐熱ガラス下端の高さ以下に設けたものである。
【発明の効果】
【００１１】
この発明の請求項１によれば、バーナ部と、該バーナ部の上方に配置した集熱部と、該集熱部から垂下して設けられた赤熱筒と、該赤熱筒を内設し前記バーナ部と前記集熱部との間を密閉空間として連通する燃焼筒と、温風ファンと、該温風ファンと前記集熱部と連通した熱交換器と、装置前面に設けた輻射部とを備えた暖房装置に於いて、前記燃焼筒を中空四角柱状に形成すると共に、前記輻射部を前記燃焼筒の前面を露出させることで形成したので、加熱源である燃焼筒を輻射源としたことで輻射面の温度を従来より高くすることができ、更に高温となった燃焼筒前面を装置前面に露出させることで従来よりも高温の輻射面の面積を大きくして、装置前面への輻射熱を増加させることができるものである。
【００１２】
また、請求項２によれば、前記燃焼筒の前面下部に拡散ガラス取付孔を設けて耐熱ガラスを取り付け、前記赤熱筒の下端の位置を耐熱ガラス上端の高さ以上に設けると共に、前記バーナ部の上端の位置を耐熱ガラス下端の高さ以下に設けたので、耐熱ガラスからはバーナ部の上端部分が見えてしまうのを防止しつつ、バーナ部の青い炎を耐熱ガラスから見ることができ、それによりバーナ部の燃焼状態を確認することができるものである。
【図面の簡単な説明】
【００１３】
【図１】この発明の一実施形態を示す暖房装置の斜視図。
【図２】同前板を外した状態の暖房装置の斜視図。
【図３】同縦断面要図。
【図４】従来の暖房装置の正面図。
【図５】同概略構成図。
【図６】同縦断面要図。
【発明を実施するための形態】
【００１４】
次に、本発明に係る発明の１実施形態を図面に基づいて説明する。
１は器具本体２内で下反射板３で仕切られた下部に備えられた気化式のバーナ部で、燃焼ファン（図示せず）によって室内から吸引された燃焼空気と、燃料ポンプ４を備えたオイルレベラーからなる燃料供給手段５から供給される燃油とを予混合して燃焼させるものである。
【００１５】
６はバーナ部１と集熱部７との間を密閉空間として連通する金属製の燃焼筒で、上下に開口した中空四角柱状に形成されると共に、前面下部には拡散ガラス取付口８が形成され、又、内方には燃焼ガスで加熱され赤熱状態となる赤熱筒９が集熱部７から垂下し、バーナ部１の燃焼室１０を構成するもので、燃焼筒６が輻射暖房のための加熱源となるものである。
【００１６】
１１は上記集熱部７と連通し、燃焼ガスを流通させて室内空気との熱交換を行わせる熱交換器で、複数本のパイプ１２を並設して構成されているもので、前記集熱部７は、赤熱筒９を取付けて燃焼筒６内に垂下させると共に、バーナ部１から上昇して赤熱筒９や燃焼筒６を加熱する燃焼ガスを上部の熱交換器１１に流通させるものである。
【００１７】
１３は耐熱ガラスで、中央部分が開口した枠状のガラス用パッキン１４、１５を前後に設け、耐熱ガラス１３の前方から中央部分が開口した枠状のガラス押え１６を固定ネジ１７にて前記燃焼筒６の拡散ガラス取付口８に取り付けられるもので、それにより前記耐熱ガラス１３の前側のガラス用前パッキン１４はガラス押え１６に密着し、前記耐熱ガラス１３の後側のガラス用後パッキン１５は燃焼筒６の拡散ガラス取付口８周辺部分と密着するものである。
【００１８】
図３に示すように、前記耐熱ガラス１３の取り付け位置に対して、集熱部７から垂下した赤熱筒９の下端の位置Ｈ１は、前記耐熱ガラス１３の上端の高さＨ２以上の高さに設けられ、又、バーナ部１の上端の位置Ｌ１は、前記耐熱ガラス１３の下端の高さＬ２以下の高さに設けられており、耐熱ガラス１３からは赤熱した赤熱筒９の赤い色が見えず、バーナ部１の上方に形成する青い炎が拡散ガラス１３から見えるものである。
【００１９】
１８は器具本体２前面の前板１９の上部で熱交換器１１と対向する位置に形成された横長吹出部で、複数の横長スリットを複数段並設して構成され、器具本体２背面に設けた温風ファン（図示せず）により器具本体２背面の吸引口（図示せず）から吸引した室内空気を、熱交換器１１及び燃焼筒６外周を流通させて熱交換して加熱し、その加熱された温風の大部分を横温風として室内に放出するものである。
【００２０】
２０は横長吹出部１８下方で、耐熱ガラス１３の左右に分割して形成された縦長吹出部で、熱交換器１１で熱交換された温風の一部を更に燃焼筒６外周を通して高温とし、器具本体２前面に縦温風として放出させるものである。
【００２１】
前記前板１９の略中央に燃焼筒６の前面が露出して輻射部を形成し、前記前板１９上部に設けた縦長吹出部２０と、前記前板１９に露出している燃焼筒６前面の左右に設けた横長吹出部１８とで温風部を形成しているものである。
【００２２】
２１は器具本体２前面に備えられたガード体、２２は器具本体２前面一側に備えられた操作部で、運転スイッチ２３等のスイッチ類や表示部を有している。２４は熱交換器１１に連通し熱交換後の排気を屋外に排出する排気筒である。
【００２３】
次にこの発明一実施例の作動について説明する。
運転スイッチ２２のＯＮ操作でバーナ部１は予熱を開始し、そして燃油及び燃焼空気の供給を受けて燃焼が行われ、この燃焼で発生した燃焼ガスは、燃焼筒６で形成された密閉構造の燃焼室１０で完全燃焼しながら燃焼筒６を加熱すると共に、赤熱筒９を加熱して赤熱状態とした後、集熱部６を介して熱交換器１１内を流通し排気筒２８を介して屋外へ排出される。
【００２４】
この状態で温風ファンを駆動させれば、吸引口から吸引された室内空気が熱交換器１１の外周を通り熱交換で温風となり、この温風の大部分はそのまま横長吹出部１８から横温風として室内に放出され、又一部の温風は耐熱ガラス１３の左右に分かれて２つの縦長吹出部１９から高温度の縦温風として室内に放出されるものである。
【００２５】
更にバーナ部１からの燃焼ガス及び赤熱状態となった赤熱筒９により燃焼筒６が加熱されるが、燃焼筒６は金属製で中空四角柱状に形成され、更に図１に示すように燃焼筒６前面が器具前面に直接露出し、その状態でガード体２０により覆われる構造になっているので、器具前面に高温になった燃焼筒６前面が直接露出することで輻射熱量を多くすることができ、更に燃焼筒６が赤熱筒９に直接加熱されることで効率よく放熱することができるものである。
【００２６】
又、集熱部７から垂下した赤熱筒９の下端の位置Ｈ１を、前記耐熱ガラス１３の上端の高さＨ２以上の高さに設けたので、耐熱ガラス１３から赤熱筒９の下端の赤熱部分が見えてしまうのを防止でき、又、バーナ部１の上端の位置Ｌ１を、前記耐熱ガラス１３の下端の高さＬ２以下の高さに設けたので、耐熱ガラス１３からはバーナ部１の上端部分が見えてしまうのを防止しつつ、バーナ部１の青い炎を拡散ガラス１３から見ることができ、それによりバーナ部１の燃焼状態を確認することができるものである。
【００２７】
以上のように、燃焼筒６を金属製で上下に開口した中空四角柱状に形成し、燃焼筒６前面を直接装置前面に露出させたので、赤熱筒９と燃焼ガスにより加熱された燃焼筒６自体が輻射熱を放射する輻射体となって輻射面の温度を従来より高くすることができると共に、効率よく放熱できるものである。
【００２８】
又、燃焼筒６前面を前板１９に露出させることで高温の輻射面を大きくでき、更に耐熱ガラス１３を小さくして燃焼筒６前面に取付けたので、燃焼筒６前面で高温となる金属部分の放熱面積を大きくすることができ、それにより器具前面への輻射熱量を増加させることができるものである。
【００２９】
更に、集熱部７から垂下した赤熱筒９の下端の位置Ｈ１を、前記耐熱ガラス１３の上端の高さＨ２以上の高さに設けたので、耐熱ガラス１３を上から見ても耐熱ガラス１３と同じ高さの正面から見ても、耐熱ガラス１３から赤熱筒９の下端の赤熱部分が見えてしまうのを防止でき、又、バーナ部１の上端の位置Ｌ１を、前記耐熱ガラス１３の下端の高さＬ２以下の高さに設けたので、耐熱ガラス１３を上から見ても耐熱ガラス１３と同じ高さの正面から見ても、耐熱ガラス１３からはバーナ部１の上端部分が見えてしまうのを防止しつつ、バーナ部１の青い炎を耐熱ガラス１３から見ることができ、それによりバーナ部１の燃焼状態を確認することができるとともに、耐熱ガラス１３と同じ高さの正面から拡散ガラス１３を見てもものである。
【符号の説明】
【００３０】
１  バーナ部
６  燃焼筒
７  集熱部
９  赤熱筒
１１  熱交換器
【図１】
2020041775.tif 000003
【図２】
2020041775.tif 000004
【図３】
2020041775.tif 000005
【図４】
2020041775.tif 000006
【図５】
2020041775.tif 000007
【図６】
2020041775.tif 000008